(57)【要約】      （修正有）【課題】印刷指令後、印刷待ち状態にある印刷ジョブの印刷設定を変更する際の利便性を向上させる。【解決手段】コンピュータを印刷対象データ及び印刷設定情報を有した印刷ジョブを指定する指定手段、及び指定手段により指定された複数の印刷ジョブの印刷設定情報を一括変更する変更手段として機能させる。これにより、指定手段により指定された全ての印刷ジョブの印刷設定情報を一括変更することができるので、印刷指令後、印刷待ち状態にある印刷ジョブの印刷設定を変更する際の利便性を向上させることができる。【選択図】図２
2009110080.tif 000002
【特許請求の範囲】
【請求項１】
コンピュータを印刷システムとして機能させるプログラムであって、
前記コンピュータを、
印刷対象データ及び印刷設定情報を有した印刷ジョブを指定する指定手段、及び
前記指定手段により指定された複数の印刷ジョブの印刷設定情報を一括変更する変更手段
として機能させることを特徴とするプログラム。
【請求項２】
前記コンピュータに設けられた記憶手段を、印刷ジョブを蓄積する蓄積手段として機能させ、
さらに、前記指定手段は、前記蓄積手段に蓄積された印刷ジョブの中から指定可能であることを特徴とする請求項１に記載のプログラム。
【請求項３】
前記指定手段は、所定の属性を有する印刷ジョブを指定可能であることを特徴とする請求項１又は２に記載のプログラム。
【請求項４】
前記属性は、ユーザ情報であることを特徴とする請求項３に記載のプログラム。
【請求項５】
前記指定手段による指定は、ユーザからの指示を受けて解除可能であることを特徴とする請求項１ないし５のいずれか１つに記載のプログラム。
【請求項６】
前記コンピュータを、印刷開始優先順位が所定順位以内である印刷ジョブの指定を解除する解除手段として機能させることを特徴とする請求項１ないし５のいずれか１つに記載のプログラム。
【請求項７】
印刷対象データ及び印刷設定情報を有した印刷ジョブを指定する指定手段と、
前記指定手段により指定された複数の印刷ジョブの印刷設定情報を一括変更する変更手段と
を備えることを特徴とする印刷データ処理装置。
【請求項８】
印刷対象データ及び印刷設定情報を有した印刷ジョブを指定する指定手段と、
前記指定手段により指定された複数の印刷ジョブの印刷設定情報を一括変更する変更手段と、
印刷ジョブを蓄積する蓄積手段と、
前記蓄積手段から送信された印刷ジョブを実行し、前記印刷設定情報に従って前記印刷対象データを印刷する印刷手段とを備え、
前記指定手段は、前記印刷手段に設けられていることを特徴とする印刷システム。
【発明の詳細な説明】
【技術分野】
【０００１】
本発明は、コンピュータを印刷システムとして機能させるプログラム、印刷データ処理装置及び印刷システムに関するものである。
【背景技術】
【０００２】
例えば、特許文献１に記載の発明では、変更後の印刷設定を印刷ジョブが蓄積（スプール）されているプリントサーバに送信することにより、印刷指令後、印刷待ち状態にある印刷ジョブの印刷設定を変更している。
【０００３】
なお、印刷ジョブとは、ユーザ等により印刷指令がされたときに、印刷用のデータとして自動作成されるもので、少なくとも印刷対象データ及び印刷設定情報を有して構成されている。
【特許文献１】特開平１１−０９５９４２号公報
【発明の開示】
【発明が解決しようとする課題】
【０００４】
しかし、特許文献１に記載の発明では、印刷ジョブ毎に印刷設定を変更しなければならないので、変更対象となる印刷ジョブが複数ある場合には、これら複数の印刷ジョブ毎に設定変更をしなければならず、利便性が高いとは言い難い。
【０００５】
本発明は、上記点に鑑み、印刷指令後、印刷待ち状態にある印刷ジョブの印刷設定を変更する際の利便性を向上させることを目的とする。
【課題を解決するための手段】
【０００６】
本発明は、上記目的を達成するために、請求項１に記載の発明では、コンピュータを印刷システムとして機能させるプログラムであって、コンピュータを、印刷対象データ及び印刷設定情報を有した印刷ジョブを指定する指定手段、及び指定手段により指定された複数の印刷ジョブの印刷設定情報を一括変更する変更手段として機能させることを特徴とする。
【０００７】
これにより、請求項１に記載の発明では、指定手段により指定された全ての印刷ジョブの印刷設定情報を一括変更することができるので、印刷指令後、印刷待ち状態にある印刷ジョブの印刷設定を変更する際の利便性を向上させることができる。
【０００８】
因みに、請求項１に記載の発明では、ユーザにより直接的に指定された印刷ジョブ、又はユーザにより指定された属性等の所定条件に基づいて自動的に（間接的にユーザにより）指定された印刷ジョブが一括変更の対象となる。
【０００９】
なお、請求項２に記載の発明では、コンピュータに設けられた記憶手段を、印刷ジョブを蓄積する蓄積手段として機能させ、さらに、指定手段は、蓄積手段に蓄積された印刷ジョブの中から指定可能であることを特徴とするものである。
【００１０】
請求項３に記載の発明では、指定手段は、所定の属性を有する印刷ジョブを指定可能であることを特徴とする。
これにより、請求項３に記載の発明では、所定の属性を有する全ての印刷ジョブの印刷設定情報を一括変更することができるので、印刷指令後、印刷待ち状態にある印刷ジョブの印刷設定を変更する際の利便性を向上させることができる。
【００１１】
なお、「属性」とは、印刷ジョブが有する印刷設定情報、ファイル形式（拡張子）、ファイルの作成日時等の印刷対象データが有する固有の情報をいう。
また、請求項４に記載の発明では、属性は、ユーザ情報であることを特徴とするものである。
【００１２】
請求項５に記載の発明では、指定手段による指定は、ユーザからの指示を受けて解除可能であることを特徴とする。
これにより、請求項５に記載の発明では、例えば、属性に基づいて指定された印刷ジョブの中に指定すべきでない印刷ジョブが含まれている場合に、その印刷ジョブの指定を解除することができるので、利便性を更に向上させることができる。
【００１３】
また、ユーザが印刷開始直前の印刷ジョブの印刷設定情報を変更したりしようとすると不具合を生じる虞があるので、請求項６に記載の発明では、コンピュータを、印刷開始優先順位が所定順位以内である印刷ジョブの指定を自動的に解除する解除段として機能させることを特徴としている。
【００１４】
なお、「所定順位」とは、印刷手段の印刷能力及び印刷対象データの大きさ等に基づいて適宜設定されるものである。
請求項７に記載の発明では、印刷対象データ及び印刷設定情報を有した印刷ジョブを指定する指定手段と、指定手段により指定された複数の印刷ジョブの印刷設定情報を一括変更する変更手段とを備えることを特徴とする。
【００１５】
これにより、請求項７に記載の発明では、請求項１に記載の発明と同様に、指定手段により指定された全ての印刷ジョブの印刷設定情報を一括変更することができるので、印刷指令後、印刷待ち状態にある印刷ジョブの印刷設定を変更する際の利便性を向上させることができる。
【００１６】
請求項８に記載の発明では、印刷対象データ及び印刷設定情報を有した印刷ジョブを指定する指定手段と、指定手段により指定された複数の印刷ジョブの印刷設定情報を一括変更する変更手段と、印刷ジョブを蓄積する蓄積手段と、蓄積手段から送信された印刷ジョブを実行し、印刷設定情報に従って印刷対象データを印刷する印刷手段とを備え、指定手段は、印刷手段に設けられていることを特徴とする。
【００１７】
これにより、請求項８に記載の発明においても、請求項１に記載の発明と同様に、指示手段の指定手段により指定された全ての印刷ジョブの印刷設定情報を一括変更することができるので、印刷指令後、印刷待ち状態にある印刷ジョブの印刷設定を変更する際の利便性を向上させることができる。
【発明を実施するための最良の形態】
【００１８】
以下に本発明の実施形態を図面と共に説明する。
（第１実施形態）
１．図面の説明
図１は、本実施形態に係るプログラムが組み込まれた（インストールされた）コンピュータ１０及び印刷装置（プリンタ）２０にて構成された印刷システムの概要を示す図であり、図２は本実施形態に係る印刷システムの特徴的作動を示すフローチャートであり、図３は印刷設定変更用のダイアログ（画面）の一例を示す図であり、図４は印刷設定用のダイアログ（画面）の一例を示す図である。
【００１９】
２．印刷システム等の概要（図１参照）
印刷システムは、図１に示すように、コンピュータ（ＰＣ）１０及びプリンタ２０等から構成されており、コンピュータ１０は、表示部１１、操作部１２、ＣＰＵ１３、ＲＯＭ１４、ＲＡＭ１５及びＨＤＤ１６等の記憶手段、並びにイーサネット（登録商標）等のＬＡＮを介して他の機器と接続するためのインタフェース１７等を有して構成された情報処理装置である。
【００２０】
そして、表示部１１は、画像や文字等を表示するＬＣＤやＣＲＴ等にて構成され、操作部１２は、表示部１１の特定部位を指し示すポインタ（図示せず。）を移動させるマウス（図示せず。）等のポインティング手段及びキーボード（図示せず。）等にて構成されている。
【００２１】
因みに、本実施形態では、コンピュータ１０のＯＳ（Ｏｐｅｒａｔｉｎｇ  Ｓｙｓｔｅｍ）としてＷｉｎｄｏｗｓ（登録商標）を用いており、以下、特に説明（定義）が無い用語は、Ｗｉｎｄｏｗｓ（登録商標）における一般的な意味にて用いる。
【００２２】
また、プリンタ２０は、プリンタ２０が有する各種の機能を選択又は各種のパラメータ値を入力するための操作キー２１、操作内容や作業状況等の各種の情報を表示する表示パネル２２、記録用紙等の被記録媒体に画像を印刷する印刷部２３、ＣＰＵ２４、ＲＯＭ２５、ＲＡＭ２６及びＨＤＤ２７等から構成されている。
【００２３】
また、不揮発性ＲＡＭ２８は、電力の供給が停止した場合であっても記憶された内容を保持することが可能な記憶手段であり、インタフェース２９は、プリンタ２０をイーサネット（登録商標）等のＬＡＮを介してコンピュータ１０に接続するための接続手段である。そして、プリンタ２０は、ネットワーク上の複数のコンピュータ１０に接続されて複数のユーザに使用される。
【００２４】
なお、本実施形態では、ＣＰＵ２４、ＲＯＭ２５及びＲＡＭ２６により、印刷部２３や表示パネル２２等のプリンタ２０を構成する各機器を制御する制御部が構成されており、制御部は、ＲＯＭ２５に予め記憶されているプログラムに従って印刷部２３等を制御する。
【００２５】
そして、本実施形態に係る印刷システムの作動は、コンピュータ１０にインストールされてコンピュータ１０上で作動するプリンタドライバ、及びプリンタ２０に組み込まれてプリンタ２０で作動する制御プログラム等に基づいて制御される。
【００２６】
ところで、コンピュータ１０を介してプリンタ２０の印刷部２３にて印刷処理が実行される場合において、ユーザにより表示部１１や操作部１２を介して印刷指示がされると、通常、プリンタドライバは、ＯＳと協働して印刷対象データをＰＤＬ（Page Description Language）形式等の印刷用データ形式（印刷ファイル）に変換した後（以下、この処理を変換処理という。）、その変換した印刷ファイルをインタフェース１７を介してプリンタ２０に送信する（以下、この処理を送信処理という。）。そして、インタフェース２９を介して印刷ファイルを受信したプリンタ２０は、受信した印刷ファイルを印刷部２３にて順次印刷していく。
【００２７】
また、印刷ファイルがプリンタ２０に送信されるとき、プリンタドライバは、通常、印刷ファイルをＨＤＤ１６上に確保された特定の領域（スプーラ）に一時的に記憶して蓄積する。そして、プリンタドライバは、プリンタ２０の印刷進行状況に応じてプリンタ２０から送信されてくる印刷ファイルの送信要求に対し、印刷ファイルをプリンタ２０に送信する。その後、プリンタ２０に送信された印刷ファイルをスプーラから削除する。
【００２８】
なお、図１では、３台のコンピュータ１０が記載されているが、本実施形態では、これら３台のコンピュータ１０のうちコンピュータ１０Ｓがプリンタサーバとして機能するため、コンピュータ１０ＳのＨＤＤ１６に蓄積手段をなすスプーラが設定されるとともに、コンピュータ１０Ｓにて変換処理及び送信処理が実行される。
【００２９】
そして、ユーザによる印刷指示、及び後述する既に印刷指示がされた印刷ジョブに対する印刷設定の変更は、クライアント用のコンピュータであるコンピュータ１０Ｃにて行われる。このため、コンピュータ１０Ｓのスプーラには、複数のユーザ（コンピュータ１０Ｃ）において印刷指示がされた印刷ジョブが蓄積される。
【００３０】
ここで、印刷ジョブとは、変換処理が施された印刷対象データに、少なくとも印刷設定情報等のプリンタ２０にて実際に印刷を実行するために必要な情報が付加されたデータをいう。
【００３１】
そして、本実施形態では、印刷設定情報に加えて、印刷対象データの種類、印刷対象データの所有者（印刷指示をしたユーザ）、及び印刷対象データの作成日時等を示す情報も付加されている。
【００３２】
因みに、本実施形態では、印刷対象データの拡張子に基づいて印刷対象データの種類を判定しており、拡張子とは、ファイル名のうち、「．」(ピリオド)で区切られた一番右側の部分をいう。したがって、例えば、ファイル名が「e-words.txt」ならば「txt」が拡張子である。
【００３３】
３．本実施形態に係る印刷システムの特徴的作動
３．１．印刷システムの概略作動
本実施形態に係る印刷システムでは、既に印刷指示がされた複数の印刷ジョブの印刷設定情報を一括変更する機能を有することを特徴とするものであり、以下、一括変更機能を図２に示すフローチャートに従って説明する。
【００３４】
図２に示す制御（以下、この制御を一括変更制御という。）は、プリンタドライバの一部としてコンピュータ１０Ｃにインストールされており、この一括変更制御は、例えば、ＯＳのプログラムメニュー等から一括変更制御を選択することにより起動させることができる。つまり、一括変更制御プログラム（プリンタドライバ）は、ＨＤＤ１６にインストールされ、必要に応じてＲＡＭ１５に読み込まれてＣＰＵ１３にて実行される。
【００３５】
そして、一括変更制御が起動されると、先ず、印刷設定変更ダイアログ３０（図３参照）が起動された後（Ｓ１）、印刷設定変更ダイアログ３０のＯＫボタン３１（図３参照）が選択されたか否かが判定される（Ｓ３）。なお、印刷設定変更ダイアログ３０の詳細は後述する。
【００３６】
このとき、印刷設定変更ダイアログ３０のＯＫボタン３１が選択されたと判定された場合には（Ｓ３：ＹＥＳ）、ユーザにより指示された複数の印刷ジョブの印刷設定が一括して変更される（Ｓ５）。そして、印刷設定変更ダイアログ３０の表示が終了し、本制御が終了する。
【００３７】
なお、Ｓ３にて印刷設定変更ダイアログ３０のＯＫボタン３１が選択されていないと判定された場合には（Ｓ３：ＮＯ）、ＯＫボタン３１が選択されるまで待機状態となる。ユーザによりキャンセルボタン３２が選択されたと判定された場合には、印刷設定変更ダイアログ３０の表示が終了し、本制御が終了する。
【００３８】
３．２．印刷設定変更ダイアログ（図３参照）
印刷設定変更ダイアログ３０には、図３に示すように、印刷ジョブ表示ボックス３３、グループ化ボックス３４及び設定変更ボタン３５等が設けられている。
【００３９】
３．２．１．変更対象となる印刷ジョブの指示
印刷ジョブ表示ボックス３３は、コンピュータ１０Ｓのスプーラに蓄積されている印刷ジョブ、つまり未だ送信処理が実行されておらず、プリンタ２０での印刷が実行されていない印刷ジョブを表示するための手段である。
【００４０】
また、印刷ジョブ表示ボックス３３には、表示された印刷ジョブの名称（「ドキュメントＡ．ｄｏｃ」等）に隣接して、特定の印刷ジョブを指定するためのチェックボックス３３Ａが設けられている。
【００４１】
そして、チェックボックス３３Ａのいずれかがユーザにより選択されると、「レ」マークがチェックボックス３３Ａに表示され、「レ」マークに対応する印刷ジョブが変更対象となる印刷ジョブとしてユーザにより指定されたものとしてコンピュータ１０Ｃに認識される。
【００４２】
なお、本実施形態では、印刷対象データのファイル名を印刷ジョブの名称として表示することにより、ユーザが変更対象となる印刷ジョブ（以下、対象ジョブという。）を容易に認識することができるようにしている。
【００４３】
また、グループ化ボックス３４は、対象ジョブを印刷ジョブの属性に基づいて一括指定するための手段であり、このグループ化ボックス３４には、一括指定するための属性として、ユーザが選択可能な項目（以下、これらの項目を属性項目という。）３４Ａが表示されている。
【００４４】
そして、本実施形態では、「（印刷対象データの）拡張子」、「（印刷対象データの）作成日時」、及び「（印刷対象データの印刷指示をした）ユーザ」の中から属性項目３４Ａを選択することができる。
【００４５】
このとき、属性項目３４Ａの左側に隣接して設けられたチェックボックス３４Ｂのいずれかがユーザにより選択されると、その選択されたチェックボックス３４Ｂに「レ」マークが表示されるとともに、属性項目３４Ａについての具体的な属性が設定又は入力可能な状態となる。
【００４６】
つまり、属性項目３４Ａとして、「拡張子」がユーザにより選択されると、属性項目「拡張子」の右側に隣接して設けられた設定ボックス３４Ｃに、現在、スプーラに蓄積されている印刷ジョブにおいて選択可能な拡張子が全て表示される。そして、ユーザは、その設定ボックス３４Ｃに表示されている拡張子の中から対象ジョブに共通する拡張子を選択することができる。
【００４７】
また、属性項目３４Ａとして、「作成日時」がユーザにより選択されると、属性項目「作成日時」の右側に隣接して設けられた設定ボックス３４Ｃは、日時が入力可能な状態になるので、ユーザは、その設定ボックス３４Ｃに対象ジョブに共通する作成日時を入力することができる。
【００４８】
また、属性項目３４Ａとして、「ユーザ」がユーザにより選択されると、属性項目「ユーザ」の右側に隣接して設けられた設定ボックス３４Ｃは、ユーザ名が入力可能な状態になるので、ユーザは、その設定ボックス３４Ｃに対象ジョブに共通するユーザ名を入力することができる。
【００４９】
そして、対象ジョブに共通する属性が設定ボックス３４Ｃに入力等された状態で、ユーザによりグループ化ボタン３４Ｄが選択されると、現在、スプーラに蓄積されている印刷ジョブのうち、設定ボックス３４Ｃに入力等された属性を有する印刷ジョブのチェックボックス３３Ａに「レ」マークが表示され、自動的に対象ジョブが指定される。
【００５０】
３．２．２．印刷設定の変更
対象ジョブが指定された状態で、設定変更ボタン３５がユーザにより選択されると、図４に示すような印刷設定の内容を具体的に設定するための印刷設定用のダイアログ（画面）４０が表示される。因みに、対象ジョブが指定されていない状態、つまり、チェックボックス３３Ａに「レ」マークが１つも表示されていない状態で設定変更ボタン３５が選択されると、対象ジョブの選択をユーザに対して促すメッセージが表示される。
【００５１】
なお、図４に示す印刷設定用のダイアログ４０は、ユーザが印刷指示をしたときに、プリンタのプロパティとして表示されるダイアログと全く同じであり、印刷に用いる用紙のサイズ（出力サイズ）や印刷時のページレイアウト等を設定することができる。
【００５２】
そして、印刷設定用のダイアログ４０にて印刷設定を再設定した後、ＯＫボタン４１がユーザにより選択されると、印刷設定用のダイアログ４０が非表示となり、印刷設定変更ダイアログ３０が再び表示部１１の最前面に表示される。
【００５３】
次に、印刷設定変更ダイアログ３０のＯＫボタン３１が選択されると、前述したように、ユーザにより指示された複数の印刷ジョブの印刷設定が一括して変更される。因みに、キャンセルボタン３２が選択された場合には、その時点で、印刷設定変更ダイアログ３０が非表示となり、一括変更制御が終了する。
【００５４】
なお、本実施形態では、「レ」マークが表示されているチェックボックス３３Ａが、再度、ユーザにより選択されると、「レ」マークが非表示となるとともに、対象ジョブの指定から解除される。そして、この対象ジョブの指定解除は、印刷設定変更ダイアログ３０が表示されている間は、ユーザはいつでも行うことができる。
【００５５】
４．本実施形態に係る印刷システム及びプリンタドライバの特徴
本実施形態では、ユーザにより指定された全ての印刷ジョブの印刷設定情報を一括変更することができるので、印刷指令後、印刷待ち状態にある印刷ジョブの印刷設定を変更する際の利便性を向上させることができる。
【００５６】
なお、本実施形態では、チェックボックス３３Ａをユーザが選択することにより直接的に対象ジョブを指定する場合、又はユーザにより指定された属性等の所定条件に基づいて自動的に（間接的にユーザにより）対象ジョブを指定する場合、指定された対象ジョブが一括変更の対象となる。
【００５７】
そして、本実施形態では、所定の属性を有する全ての印刷ジョブを自動的に指定してグループ化して印刷設定情報を一括変更することができるので、印刷指令後、印刷待ち状態にある印刷ジョブの印刷設定を変更する際の利便性を向上させることができる。
【００５８】
また、本実施形態では、ユーザからの指示を受けて対象ジョブの指定を解除することができるので、例えば、属性に基づいて指定された印刷ジョブの中に指定すべきでない印刷ジョブが含まれている場合に、その印刷ジョブの指定を解除することができ、利便性を更に向上させることができる。
【００５９】
５．発明特定事項と実施形態との対応関係
本実施形態では、印刷設定変更ダイアログ３０が特許請求の範囲に記載された指定手段に相当し、Ｓ５が特許請求の範囲に記載された変更手段に相当し、スプーラが特許請求の範囲に記載された蓄積手段に相当する。
【００６０】
（第２実施形態）
上述の実施形態では、コンピュータ１０Ｓのスプーラに蓄積されている印刷ジョブ、つまり未だ送信処理が実行されておらず、プリンタ２０での印刷が実行されていない印刷ジョブの全てが対象ジョブとして選択可能であったが、本実施形態は、印刷開始優先順位が所定順位以内である印刷ジョブについては、ユーザが対象ジョブとして指定した場合であっても、その指定を解除することを特徴とするものである。
【００６１】
以下、その詳細を図５に示すフローチャート（第１実施形態の図２に相当）を例に説明する。
ユーザにより、一括変更制御が選択されて図５に示す制御が起動されると、先ず、印刷設定変更ダイアログ３０（図３参照）が起動された後（Ｓ１０）、印刷設定変更ダイアログ３０のＯＫボタン３１が選択されたか否かが判定される（Ｓ１３）。
【００６２】
このとき、印刷設定変更ダイアログ３０のＯＫボタン３１が選択されたと判定された場合には（Ｓ１３：ＹＥＳ）、ユーザが対象ジョブとして指定した印刷ジョブの中に、印刷開始優先順位が所定順位以内である印刷ジョブがあるか否かが判定される（Ｓ１５）。
【００６３】
つまり、前述したように、コンピュータ１０Ｓは、プリンタ２０の印刷進行状況に応じてプリンタ２０から送信されてくる印刷ファイルの送信要求に対し、印刷ジョブをプリンタ２０に送信するが、送信する印刷ジョブの送信順序は、印刷指示のタイミング等に基づいて予め決定されている。
【００６４】
そして、送信順序が１番の印刷ジョブが印刷開始優先順位の最も高い（１番）印刷ジョブであり、Ｓ１５では、送信順序が１番〜Ｎ番までの印刷ジョブが対象ジョブとしてユーザにより指定されているか否かが判定される。
【００６５】
ここで、送信順序Ｎ番のＮは、Ｎ≧１でユーザにより設定されているものである。なお、Ｎは、プリンタ２０の機種毎に固定値でもよい。
このとき、ユーザが対象ジョブとして指定した印刷ジョブの中に、印刷開始優先順位が所定順位以内である印刷ジョブがあると判定された場合には（Ｓ１５：ＹＥＳ）、その所定順位以内である対象ジョブの指定が解除された後（Ｓ１７）、残りの対象ジョブの全てについて印刷設定が一括変更される（Ｓ１９）。因みに、本実施形態では、Ｓ１７が特許請求の範囲に記載された解除手段に相当する。
【００６６】
一方、ユーザが対象ジョブとして指定した印刷ジョブの中に、印刷開始優先順位が所定順位以内である印刷ジョブがないと判定された場合には（Ｓ１５：ＮＯ）、全ての対象ジョブについて印刷設定が一括変更される（Ｓ１９）。
【００６７】
これにより、本実施形態では、第１実施形態と同様に、ユーザにより指定された全ての印刷ジョブの印刷設定情報を一括変更することができるので、印刷指令後、印刷待ち状態にある印刷ジョブの印刷設定を変更する際の利便性を向上させることができる。
【００６８】
また、例えば印刷順位が１位である印刷ジョブが印刷設定変更の対象として指定された場合、ユーザが印刷設定変更ダイアログ３０や印刷設定用のダイアログ４０を用いてこの指定された印刷ジョブの印刷設定を変更しようとしている間に、この印刷ジョブの送信処理が実行されてしまうと、印刷設定を変更しようとしている印刷ジョブがスプーラに存在しないことになり、不具合が生じるおそれがある。
【００６９】
しかし、所定順位以内である対象ジョブの指定が解除されることにより、上記不具合を減少させることができる。
（その他の実施形態）
第２実施形態では、ユーザにより対象ジョブが指定された後、ユーザが対象ジョブとして指定した印刷ジョブの中に、印刷開始優先順位が所定順位以内である印刷ジョブが存在するか否かを判定したが、本発明はこれに限定されるものではなく、印刷開始優先順位が所定順位以内である印刷ジョブが、印刷ジョブ表示ボックス３３に表示されないようにして、印刷開始優先順位が所定順位以内である印刷ジョブがユーザにより指定されることを未然に防止してもよい。
【００７０】
また、第２実施形態では、印刷開始優先順位が所定順位以内である印刷ジョブの印刷設定は変更できないことを特徴とするものであり、第２実施形態では、この所定順位を予め設定されていた固定値としていたが、本発明はこれに限定されるものではなく、例えば、印刷順位が１位である印刷ジョブのデータサイズ等に基づいて自動的に所定順位を決定するようにしてもよい。
【００７１】
なお、印刷順位が１位である印刷ジョブのデータサイズが大きい場合、この印刷ジョブに係る送信処理や印刷処理に要する時間が長くなる可能性が大きくなるので、印刷ジョブのデータサイズが小さい場合よりも所定順位を小さく決定することができる。もちろん、データサイズを考慮する印刷ジョブは、印刷順位が１位であるものだけでなくてもよい。
【００７２】
また、上述の実施形態では、スプーラがコンピュータ１０Ｓに設定されていたが、本発明はこれに限定されるものではなく、スプーラをプリンタ２０のＨＤＤ２７又はクライアント用のコンピュータ１０Ｃに設定してもよい。なお、スプーラをプリンタ２０のＨＤＤ２７に設定した場合には、プリンタ２０が特許請求の範囲に記載された印刷手段に相当する。
【００７３】
また、上述の実施形態では、印刷設定の変更をコンピュータ１０Ｃにて行うものであったが、本発明はこれに限定されるものではなく、コンピュータ１０Ｓ又はプリンタ２０にて行うようにしてもよい。
【００７４】
また、本発明は上述の実施形態に限定されるものではなく、対象ジョブと指定（グループ化）された印刷ジョブを、図６に示すように表示してもよい。なお、図６において、「Ｇ」と表示されたアイコンが選択されると、図７に示すように、詳細な内容が表示されるようにしてもよい。
【００７５】
また、図２に示す一括変更制御は、ユーザからの印刷ジョブの印刷指示を受け付けたときに起動されてもよい。
また、本発明は、特許請求の範囲に記載された発明の趣旨に合致するものであればよく、上述の実施形態に限定されるものではない。
【図面の簡単な説明】
【００７６】
【図１】本発明の実施形態に係る印刷システムの概要を示す図である。
【図２】本発明の第１実施形態に係る印刷システムの特徴的作動を示すフローチャートである。
【図３】本発明の実施形態に係る印刷設定変更用のダイアログ（画面）の一例を示す図である。
【図４】本発明の実施形態に係る印刷設定用のダイアログ（画面）の一例を示す図である。
【図５】本発明の第２実施形態に係る印刷システムの特徴的作動を示すフローチャートである。
【図６】本発明のその他の実施形態に係る印刷設定変更用のダイアログ（画面）の一例を示す図である。
【図７】本発明のその他の実施形態に係る印刷設定変更用のダイアログ（画面）の一例を示す図である。
【符号の説明】
【００７７】
１０…コンピュータ、１１…表示部、１２…操作部、２０…プリンタ、
２１…操作キー、２２…表示パネル、２３…印刷部、２４Ｄ…グループ化ボタン、
２９…インタフェース、３０…印刷設定変更ダイアログ、３１…ＯＫボタン、
３２…キャンセルボタン、３３…印刷ジョブ表示ボックス、３３Ａ…チェックボックス、
３４…グループ化ボックス、３４Ａ…属性項目、３４Ｂ…チェックボックス、
３４Ｃ…設定ボックス、３５…設定変更ボタン、４０…ダイアログ、４１…ＯＫボタン。
【図１】
2009110080.tif 000003
【図２】
2009110080.tif 000004
【図５】
2009110080.tif 000005
【図３】
2009110080.tif 000006
【図４】
2009110080.tif 000007
【図６】
2009110080.tif 000008
【図７】
2009110080.tif 000009